(57)【特許請求の範囲】
【請求項１】
くし内の給液路を通して供給する液体を、くし歯に設けた複数の吐水口から吐水するくし型頭皮洗浄具において、
前記くしの移動方向前後の位置で少なくとも前記複数の吐水口を挟んで前記くしと平行に取り付けられており、所定の位置に複数の長穴が設けられ、かつ頭面に接触する接触面が曲線状に形成されたカバーと、
一方の端部が前記くしに固定され、他方の端部が前記複数の長穴にそれぞれ移動可能に貫通する複数の軸部とを備え、
前記カバーは、前記くしが移動した場合に、それぞれの前記長穴内を前記軸部が移動することによって、頭皮面と垂直方向に高さを変えられ、前記接触面が頭面に追従することを特徴とするくし型頭皮洗浄具。
【請求項２】
くし内の給液路を通して供給する液体を、くし歯に設けた複数の吐水口から吐水するくし型頭皮洗浄具において、
刷毛状の材質で形成されており、前記くしの移動方向前後の位置で少なくとも前記複数の吐水口を挟むように配置され、前記くしが移動した場合に、頭皮面と垂直方向に高さを変えられ、頭面に追従するカバーを設けたことを特徴とするくし型頭皮洗浄具。
【発明の詳細な説明】
【０００１】
【発明の属する技術分野】
本発明は，くし内の給液路を通して供給する液体を，くし歯に設けた複数の吐水口から吐水するくし型頭皮洗浄具に関し，より詳細には，吐水口から吐水された液体の飛散を防止するカバーを設けたくし型頭皮洗浄具に関する。
【０００２】
【従来の技術】
従来のくし型頭皮洗浄具として，例えば，整髪料や染毛剤等の液体を収納したボトル状容器の口にくしを取り付けたものが知られている。くし型頭皮洗浄具では，頭皮に吐水された液体の跳ね返りが周囲に飛び散るという不具合があるため，この改善が望まれている。
【０００３】
一方，吐水された液体の跳ね返りを防止する技術としては，特開平７−２５５５２３号公報に開示されている頭部洗浄器のように，カップ状のカバーを設けたものがある。この頭部洗浄器は，図７に示すように，洗浄液を噴出するノズル体７０１の先端側周囲をカップ状のカバー７０２で覆い，カバー７０２の開放端側を頭部に押し当てた状態で，ノズル本７０１から洗浄液を噴出させて頭部を洗うものである。頭部で跳ね返って洗浄液はカバー７０２の内壁に当たって落下するため，洗浄液（水）の飛散を防止することができる。また，カバー７０２には，水抜き用の切り欠き７０３が設けられており，この切り欠き７０３によって噴出された洗浄液をカバー７０２の外へ排出することにより，カバー７０２の内側に多量の洗浄液が溜まることを回避している。
【０００４】
【発明が解決しようとする課題】
しかしながら，上記従来のカップ状のカバーを用いて液体の飛散を防止する方法を，くし型頭皮洗浄具に適用すると，カップ状のカバーが頭皮面と垂直方向に高さを変えられないため，くしですきながら頭皮を洗浄する際に，髪の膨らみや髪の濃い薄いによる頭面の凹凸に追従させることが困難になるという問題や，カップ状のカバーが妨げとなって，くしのすく深さや，くしの角度が変えられなくなるため，自由度がなくなるという問題が発生する。
【０００５】
本発明は上記に鑑みてなされたものであって，くしの動きを妨げることなく，液体の飛散を防止できるくし型頭皮洗浄具を提供することを目的とする。
【０００６】
【課題を解決するための手段】
上記の目的を達成するために，請求項１に係るくし型頭皮洗浄具は，くし内の給液路を通して供給する液体を、くし歯に設けた複数の吐水口から吐水するくし型頭皮洗浄具において、前記くしの移動方向前後の位置で少なくとも前記複数の吐水口を挟んで前記くしと平行に取り付けられており、所定の位置に複数の長穴が設けられ、かつ頭面に接触する接触面が曲線状に形成されたカバーと、一方の端部が前記くしに固定され、他方の端部が前記複数の長穴にそれぞれ移動可能に貫通する複数の軸部とを備え、前記カバーは、前記くしが移動した場合に、それぞれの前記長穴内を前記軸部が移動することによって、頭皮面と垂直方向に高さを変えられ、前記接触面が頭面に追従するものである。
【０００７】
また，請求項２に係るくし型頭皮洗浄具は，くし内の給液路を通して供給する液体を、くし歯に設けた複数の吐水口から吐水するくし型頭皮洗浄具において、刷毛状の材質で形成されており、前記くしの移動方向前後の位置で少なくとも前記複数の吐水口を挟むように配置され、前記くしが移動した場合に、頭皮面と垂直方向に高さを変えられ、頭面に追従するカバーを設けたものである。
【００１０】
【発明の実施の形態】
以下，本発明のくし型頭皮洗浄具について，〔実施の形態１〕〜〔実施の形態５〕の順で，添付の図面を参照して詳細に説明する。
【００１１】
〔実施の形態１〕
図１および図２は，実施の形態１のくし型頭皮洗浄具の概略構成を示し，図１はくし本体１０１の構成を示し，図２は実施の形態１のカバーの構成を示す説明図である。
【００１２】
実施の形態１のくし型頭皮洗浄具は，くし本体１０１内の給液路１０２を通して供給する液体を，くし歯に設けた複数の吐水口１０３から吐水する構成である。さらに，くし本体１０１には，図２に示すようにカバー１０４が配設されている。
【００１３】
このカバー１０４は，くしの移動方向前後の位置で少なくとも複数の吐水口１０３を挟むように配置され，かつ，頭皮面と垂直方向に高さを変えられ，頭面に追従するように取り付けられている。具体的には，カバー１０４は，２枚の透明なアクリル製の材質からなり，くし本体１０１を挟んで，カバー１０４の一点を支点１０４ａにした『ハ』の字状に取り付けられており，支点１０４ａを回転軸として頭皮面と垂直方向に高さが変えられる構造である。また頭部との接触面１０４ｂが丸くなっており，作業し易く，頭面にも追従しやすくなっている。
【００１４】
また，カバー１０４は，吐水口１０３から吐水される洗浄液が飛び散るのを防止するために，少なくとも複数の吐水口１０３を覆う幅１０５（図１参照）を有しているものとする。
【００１５】
以上の構成において，カバー１０４が設けられたくし型頭皮洗浄具を，頭部に接触させて，くし本体１０１内の給液路１０２を通して供給した液体を，くし歯に設けた複数の吐水口１０３から吐水しながら，髪をすいて洗浄を行うと，支点１０４ａを中心にカバー１０４が容易に回転してくし本体１０１の動きに対して追従すると共に，吐水口１０３から吐水された液体の飛散を防止することができる。また，カバー１０４が透明のアクリル製の材質であるため，カバー１０４の内部（すなわち，くし歯部分）が見えて作業がし易い。
【００１６】
換言すれば，実施の形態１のくし型頭皮洗浄具は，くしの動きを妨げることなく，液体の飛散を防止することができる。
【００１７】
なお，実施の形態１では，カバー１０４を２枚で構成したが，例えば，それぞれのカバー１０４を短冊状に切れた複数枚の板で構成し，さらに細かな凹凸にも追従し易くしても良い。
【００１８】
〔実施の形態２〕
図３は，実施の形態２のくし型頭皮洗浄具のカバー１０４の構成を示す。なお，その他の構成は実施の形態１と同様につき，図示および説明を省略する。
【００１９】
実施の形態２は，２枚のカバー１０４を，くし本体１０１を平行に挟むように取り付けたものである。この際，くし本体１０１とカバー１０４との間隔は，例えば，５〜１０ｍｍ程度とする。また，カバー１０４には，図示の如く，長穴３０１が設けられており，この長穴３０１によって，上下方向に高さが変えられるように取り付けられている。
【００２０】
このような構成によって，実施の形態２のくし型頭皮洗浄具も，実施の形態1 と同様の効果を奏することができる。
【００２１】
〔実施の形態３〕
図４は，実施の形態３のくし型頭皮洗浄具のカバー４０１の構成を示す。なお，基本的な構成は実施の形態１と同様であるため，ここでは異なる部分のみを説明する。
【００２２】
実施の形態３のカバー４０１はくし本体１０１から取り外し可能に取り付けられている。ここで，カバー４０１は適当な剛性および可撓性を有した１枚のカバーであり，くし本体１０１に設けられた谷溝１０１ａの位置でくし本体１０１を挟持する構成である。このカバー４０１は，図示の如く，長手方向または上方向に引き抜くことにより，くし本体１０１から容易に取り外すことができる。
【００２３】
したがって，くし本体１０１のくし歯およびカバー４０１の洗浄を容易に行うことができる。また，安価の材料でカバーを形成した場合には，カバーを使い捨てとすることもできる。
【００２４】
〔実施の形態４〕
図５は，実施の形態４のくし型頭皮洗浄具のカバー５０１の構成を示す。なお，基本的な構成は実施の形態１と同様であるため，ここでは異なる部分のみを説明する。
【００２５】
実施の形態４のカバー５０１は，柔らかい透明のプラスチックフィルムからなり，少なくとも洗浄液の吐水口がある幅を覆ってくし本体１０１に貼付されている。また，カバー５０１は，くし本体１０１側に巻き込まれないように末広がりになっており，フィルム先端５０１ａがカールして，髪の上へ逃げて突っ張らないようにしている。
【００２６】
実施の形態４によれば，実施の形態１の効果に加えて，カバー５０１がプラスチックフィルムからなるため，カバーを簡単・軽量・低コストに製造することができる。なお，同様にカバーを簡単・軽量・低コストに製造する方法としては，カバーを，布，網，ゴム，ビニールで製造しても良い。ただし，この場合には，くし歯（くし本体１０１）の先端に巻き込まれないように，カバーの丈をくし先端よりも少し短くする必要がある。
【００２７】
〔実施の形態５〕
図６は，実施の形態５のくし型頭皮洗浄具のカバー６０１の構成を示す。なお，基本的な構成は実施の形態１と同様であるため，ここでは異なる部分のみを説明する。
【００２８】
実施の形態５のカバー６０１は，刷毛のようになっている。このため，フィルム状のカバーと比較して，長手方向の凹凸や，細かな凹凸にも追従し易く，小さくなり，感触もソフトになる。すなわち，くしの動きを妨げることなく，液体の飛散を防止することができ，さらに使用した際の感触もソフトになるという効果を奏する。
【００２９】
【発明の効果】
以上説明したように，本発明のくし型頭皮洗浄具（請求項１）は，くし内の給液路を通して供給する液体を、くし歯に設けた複数の吐水口から吐水するくし型頭皮洗浄具において、前記くしの移動方向前後の位置で少なくとも前記複数の吐水口を挟んで前記くしと平行に取り付けられており、所定の位置に複数の長穴が設けられ、かつ頭面に接触する接触面が曲線状に形成されたカバーと、一方の端部が前記くしに固定され、他方の端部が前記複数の長穴にそれぞれ移動可能に貫通する複数の軸部とを備え、前記カバーは、前記くしが移動した場合に、それぞれの前記長穴内を前記軸部が移動することによって、頭皮面と垂直方向に高さを変えられ、前記接触面が頭面に追従するため，くしの動きを妨げることなく，液体の飛散を防止することができる。
【００３２】
また，本発明のくし型頭皮洗浄具（請求項２）は，くし内の給液路を通して供給する液体を、くし歯に設けた複数の吐水口から吐水するくし型頭皮洗浄具において、刷毛状の材質で形成されており、前記くしの移動方向前後の位置で少なくとも前記複数の吐水口を挟むように配置され、前記くしが移動した場合に、頭皮面と垂直方向に高さを変えられ、頭面に追従するカバーを設けたため，さらに，くしの動きを妨げることなく，液体の飛散を防止することができる。また，使用した際の感触もソフトになるという効果を奏する。
【図面の簡単な説明】
【図１】実施の形態１のくし本体の構成を示す説明図である。
【図２】実施の形態１のカバーの構成を示す説明図である。
【図３】実施の形態２のカバーの構成を示す説明図である。
【図４】実施の形態３のカバーの構成を示す説明図である。
【図５】実施の形態４のカバーの構成を示す説明図である。
【図６】実施の形態５のカバーの構成を示す説明図である。
【図７】従来技術の問題点を示す説明図である。
【符号の説明】
１０１    くし本体
１０２    給液路
１０３    吐水口
１０４    カバー
４０１    カバー
５０１    カバー（プラスチックフィルム）
６０１    カバー（刷毛状）
【図１】
0003998305.tif 000002
【図２】
0003998305.tif 000003
【図３】
0003998305.tif 000004
【図４】
0003998305.tif 000005
【図５】
0003998305.tif 000006
【図６】
0003998305.tif 000007
【図７】
0003998305.tif 000008